(57)【要約】      （修正有）【課題】効率よく組立てが行なえ、二剤を混合する際に容器長さが変動せず、分離ごみが生じることのない二剤混合容器を提供する。【解決手段】内容物を注出する注出口１ａを有し、底部の開口１ｂと注出口１ａの間に内容物収納空間Ｍとなる上収納部１と、この上収納部１の開口１ｂにつながる口部を有し、その口部と底壁３ｂとの間に内容物収納空間Ｍ１となる下収納部３とを備え、上収納部１内容物を下収納部３に落下させる容器に、回動不能かつ、取り外し可能に嵌合保持され開口１ｂを密封する中栓１１を設ける。そして、上収納部１と下収納部３とを回転可能に保持される中間筒体４にて連結する。また中栓４に外筒体１１ａを形成し、外側にねじ部を設け、上収納部若しくは中間筒体を含めた下収納部の回転にて中栓１１を上収納部１の開口１ａより押し出して下収納部３の収納空間Ｍ１へ落下させるねじ部を設ける。【選択図】図１
2006232318.tif 000002
【特許請求の範囲】
【請求項１】
内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって内容物を混合する容器であって、
前記上収納部の開口に、回動不能でかつ、取り外し可能に嵌合保持され該開口を密封状態に維持する中栓を設け、
前記上収納部と下収納部とを、一端が該下収納部の口部に回転不能に連係し、他端が上収納部の外側において下収納部とともに相対回転可能に保持される中間筒体にて連結してなり、
前記中栓に、上収納部の外壁を取り囲む筒体を形成しその筒体の外側にねじ部を設け、
前記中間筒体の内壁に、該中栓のねじ部に係合し、上収納部若しくは中間筒体を含めた下収納部の回転にて該中栓を上収納部の開口より押し出して下収納部の収納空間へ脱落させるねじ部を設けたことを特徴とする二剤混合容器。
【請求項２】
前記中栓の底板背面に、取り付け治具に適合、保持され上収納部の開口への組み付けを容易にする係止片を有する、請求項１記載の二剤混合容器。
【請求項３】
前記上収納部又は中間筒体の何れか一方でそれらの対向する壁面の間に、それらの相対的な回転を防止する廻り止め用のリブ又は溝を形成し、前記上収納部又は中間筒体のもう一方には、前記リブ又は溝に係合する溝又はリブを有するバージンリングを一体的に設ける、請求項１又は２記載の二剤混合容器。
【発明の詳細な説明】
【技術分野】
【０００１】
本発明は、二剤混合容器に関するものであり、該容器の効率的な組立てが行なえ、二剤を混合するに際して容器の長さが変動することのない使い勝手の良い容器を提案しようとするものである。
【背景技術】
【０００２】
上下に形成された収納部に種類の異なる内容物をそれぞれ入れておき、使用時に収納部の一方を回転させることで各収納部を開通させて両内容物を混合する二剤混合容器は、毛染め液などの反応性の液体を入れたものに用いられているが、近年、お茶など飲料分野への用途の拡大が図られており、その需要は今後益々増大する傾向にある（例えば、特許文献１参照）。
【特許文献１】実用新案登録第２５６８９８９号明細書
【発明の開示】
【発明が解決しようとする課題】
【０００３】
ところで、従来の二剤混合容器は、部品点数が多く効率的な組立てができないことから製造コストの上昇が避けられない不具合があり、しかも、中栓を取り外す収納部の回転操作に伴って容器の長さ（全高）が変動（長くなったり短くなったりする）するため使い勝手が良いとは言えないのが現状であった。
【０００４】
また、この種の容器は、商品の流通段階での不正な開封を目視でもって確認できるように、バージンリングを備えたものが存在する（特許文献２参照）が、容器の開封に際して該バージンリングは容器から完全に切り離された分離ごみとして別途、廃棄処理されており、同一種類の素材を回収して資源の再利用を図る観点からも好ましくない。
【特許文献２】特開２００２−３２６６７１号公報
【０００５】
本発明の課題は、パーツ数の削減によって構造を簡素化するとともに効率的な組立てが行なえ、しかも、中栓を取り外すときに容器の長さが変動したり、容器の開封時に分離ごみが生じることのない新規な二剤混合容器を提案するところにある。
【課題を解決するための手段】
【０００６】
本発明は、内容物を注出する注出口を有し、底部を開口として該開口と注出口の相互間に内容物の収納空間を形成する上収納部と、この上収納部の開口につながる口部を有し、その口部と底壁との相互間において内容物の収納空間を別途に形成する下収納部とを備え、上収納部の内容物を開口を通して下収納部の収納空間に落下させることによって二剤の内容物を混合する容器であって、
前記上収納部の開口に、回動不能でかつ、取り外し可能に嵌合保持され該開口を密封状態に維持する中栓を設け、
前記上収納部と下収納部とを、一端が該下収納部の口部に回転不能に連係し、他端が上収納部の外側において下収納部とともに相対回転可能に保持される中間筒体にて連結してなり、
前記中栓に、上収納部の外壁を取り囲む筒体を形成しその筒体の外側にねじ部を設け、
前記中間筒体の内壁に、該中栓のねじ部に係合し、上収納部若しくは中間筒体を含めた下収納部の回転にて該中栓を上収納部の開口より押し出して下収納部の収納空間へ脱落させるねじ部を設けたことを特徴とする二剤混合容器である。
【０００７】
上記の構成になる容器において、前記中栓の底板背面には、取り付け治具に適合、保持され上収納部の開口への組み付けを容易にする係止片を設けることができる。
【０００８】
また、上記の構成になる容器においては、前記上収納部又は中間筒体の何れか一方でそれらの対向する壁面の間に、それらの相対的な回転を防止する廻り止め用のリブ又は溝を形成し、前記上収納部又は中間筒体のもう一方には、前記リブ又は溝に係合する溝又はリブを有するバージンリングを一体的に設けることができる。
【発明の効果】
【０００９】
下収納部につながる中間筒体は上収納部の外側において相対回転可能に保持され、その内側に設けたねじ部が中栓のねじ部に係合した構造になっていることから、上収納部若しくは該中間筒体を含めた下収納部の何れか一方を回転させるだけで上収納部の開口に装着された中栓は下収納部へと落下する。
【００１０】
中栓を脱落させるに当たって中間筒体は上収納部の周りを回るだけなので容器の長さが変動することはない。
【００１１】
また、中栓の底板背面には、取り付け冶具に適合、保持される係止片が設けられているため、上収納部の開口への中栓の組み付けを容易に行なうことができる。
【００１２】
バージンリングは一体形成された上収納部あるいは中間筒体の何れか一方から破断された後は廻り止め用のリブ又は溝に案内されて上又は下方向へ移動し、もう一方においてアンダーカット等により係留されており容器の開封時に該バージンリングが分離ごみとなることはない。
【発明を実施するための最良の形態】
【００１３】
以下、図面を用いて本発明をより具体的に説明する。
図１は本発明にしたがう二剤混合容器の実施の形態を容器の全体について示した図であり、図２は図１の要部拡大図、図３は要部の外観斜視図である。
【００１４】
図において１は上収納部である。上収納部１は内容物を注出する注出口１ａを有し、底部を開口１ｂとして該開口１ｂと注出口１ａの相互間に内容物の収納空間Ｍを形成し、その外周壁の下端域にはその周りに沿い間隔を開けて配置された縦リブ（又は縦溝）１ｃが設けられている。
【００１５】
２は注出口１ａにおいてねじ止めされるキャップ、３は上収納部１の下側に配置される下収納部である。この下収納部３は上収納部１の開口１ｂにつながる口部３ａを有し、底壁３ｂとの相互間において内容物の収納空間Ｍ１を別途に形成する。
【００１６】
４は中間筒体である。この中間筒体４は、外壁４ａと、この外壁４ａにその略中間部から一体連結してその相互間に下向きに開放された溝部４ｂを形成し内側面においてねじ部Ｓを有する内壁４ｃからなっており、その溝部４ｂで下収納部３の口部３ａに回転不能に連係しているが、上収納部１の外側で下収納部３とともに相対回転可能に保持されている。
【００１７】
また、５は中間筒体４の上端部内側に周方向に沿って一体的に設けられた突起（連続又は断続する突条でもよい）、６は上収納部１の外壁に周方向に沿って一体的に設けられた突起（連続又は断続する突条でもよい）である。この突起５、６によって上収納部１と中間筒体４が相互に抜け止め保持される。
【００１８】
上収納部１の外壁に形成された突起６の下方には、環状のシール突条６ａを形成しその端部を中間筒体４の内壁に圧接させており、環状のシール突条６ａはその位置関係を逆として中間筒体４の内壁に形成することもできるし、複数条形成するようにしてもよい。
【００１９】
また、７は下収納部３の口部３ａの外側において周方向に沿い一体的に設けられた突起（連続又は断続する突条でもよい）、８は中間筒体４の溝部４ｂ内に周方向に沿い一体的に設けられた突起（連続又は断続する突条でもよい）である。この突起７、８によって中間筒体４と下収納部３が相互に抜け止め保持される。
【００２０】
９は下収納部３の口部３ａの外側において一体的に設けられた縦リブ、１０は中間筒体４の溝部４ｂ（外壁４ａの内面）内に一体的に設けられ、該縦リブ９を収める溝部である。中間筒体４と下収納部３は縦リブ９、溝部１０によって回転不能に連係される。この縦リブ９は中間筒体４に設けることもでき、その場合、溝部１０は下収納部３に設けられる。
【００２１】
１１は上収納部１の開口１ａを密封保持する中栓である。この中栓１１は図３にわかりやすく図解して示すように、中間筒体４のねじ部Ｓに係合するねじ部Ｓ１を有する外筒体１１ａと、この外筒体１１ａの内側に間隔をおいて配置される内筒体１１ｂと、これらと一体になる底板１１ｃからなり、外筒体１１ａの内壁面にはその周りに沿って複数本の縦溝１１ｄが設けられている。
【００２２】
中栓１１は外筒体１１ａと内筒体１１ｂの相互間に形成される隙間で溝部を形成して上収納部１の突端に取り外し可能に嵌合保持され、該開口１ａを密封状態に維持する。
【００２３】
中栓１１が上収納部１の開口１ａに嵌合保持された状態で縦溝１１ｄには上収納部１の外周壁に設けられた縦リブ１ｃが適合していて、上収納部１に対して回転不能になっている（上収納部１の外周壁に縦溝を設け、外筒体１１ａの内壁面には縦リブを設けるようにしてもよい）。
【００２４】
また、１２は中栓１１の背面（下面）に間隔を開けて設けられた係止片である。この係止片１２は、容器の組み込みラインに備えられる取り付け治具（図示せず）に適合して該中栓１１を保持する際に使用するもので、この係止片１２によって上収納部１の開口１ｂへの中栓１１の効率的な組付けが行なわれる。
【００２５】
上収納部１を回転させるか、あるいは下収納部３を中間筒体４とともに回転させると、ねじ部Ｓ、Ｓ１によって中栓１１には開口１ｂから押し出されるようにスライドしていき、ねじによる係合状態が解除されたとき該中栓１１は開口１ｂから下収納部３の収納空間Ｍ１へと落下する。
【００２６】
図４〜図７は本発明にしたがう二剤混合容器の他の実施の形態を示したものであり、図における１３はバージンリングである。このバージンリング１３は先端方向内壁に上収納部１の外周壁に設けた縦リブ１ｄに適合する溝部１３ａを有している。また、１４はバージンリング１３と中間筒体４とを破断可能に一体連結する結合片、１５は中間筒体４の上端に一体的に設けられた傾斜付き凸部、１６はバージンリング１３の下端に一体的に設けられ該傾斜付き凸部１５に適合する傾斜付き凹部である。
【００２７】
この二剤混合容器は、開封前の状態を図６に示す如く、バージンリング１３と中間筒体４は結合片１４を介してつながり、溝部１３ａが縦リブ１ｄに適合することで廻り止めされており、容器の開封前においては上収納部１と中間筒体（下収納部３を含む）４の相対的な回転は防止される。
【００２８】
一方、容器内の内容物を混合して使用に供するには、まず、中間筒体４を回転させて中間筒体４の傾斜付き凸部１５の傾斜面にバージンリング１３の傾斜付き凹部１６の傾斜面を沿わせて移動させる。そうすると、図７に示すように、バージンリング１３は中間筒体４から切り離されたのち、前記縦リブ１ｄに案内されて上方へと移動し、その行き止まり端で図８に示す如く溝部１３ａの基底面及び縦リブ１ｄの頂面に形成された小突起ｐ、ｐ′にてアンダーカット嵌合して上収納部１に係留されることとなり、これによりバージンリング１３が分離ごみとなることはない。
【００２９】
上記の例では、バージンリング１３を中間筒体４に結合片１４を介してつないだ場合について示したが、該バージンリング１３は上収納部１に切り離し可能につないでおくことも当然可能であり、この場合、上記縦リブ１ｄと溝部１３ａはその配置関係が逆転して設けられることとなり、その動きも上方への移動から下方への移動となる。バージンリング１３と中間筒体４の連結、あるいはバージンリング１３と上収納部１との連結は結合片１４によるものには限られず、破断可能であれば薄肉部として一体形成してもよいのは言うまでもない。また、上記の例では、縦リブ１ｄを溝部１３ａに適合させる場合について示したが、縦リブ１ｄを間隔を開けて２つ設け、バージンリング１３の内壁に該縦リブ１ｄの相互間に位置する縦リブを設けてもよく、この場合、アンダーカット係合にて係留する小突起は縦リブの側面に設けられる。縦リブ１ｄ及び溝部１３ａは上収納部１、バージンリング１３の周りに沿って少なくとも１つ設けることができるもので、設置個数はとくに限定されない。
【産業上の利用可能性】
【００３０】
容器の効率的な組立てが行なえ、二剤を混合する際に容器の長さに変動することがなく、加えて中栓に係止片を形成することでその取り付けも容易に行なうことが可能であり、しかも分離ごみが生じることのない二剤混合容器が提供できる。
【図面の簡単な説明】
【００３１】
【図１】本発明にしたがう二剤混合容器の実施の形態を示した図である。
【図２】図１に示した容器の要部拡大図である。
【図３】図１に示した容器の要部の外観斜視図である。
【図４】本発明にしたがう二剤混合容器の他の実施の形態を示した図である。
【図５】図４に示した容器の要部拡大図である。
【図６】図４に示した容器の開封前におけるバージンリングの側面を示した図である。
【図７】図４に示した容器の開封後におけるバージンリングの係留状態を示した図である。
【図８】バージンリングの係留状態の断面を示した図である。
【符号の説明】
【００３２】
１  上収納部
１ａ  注出口
１ｂ  開口
１ｃ  縦リブ
１ｄ  縦リブ
２  キャップ
３  下収納部
３ａ  口部
３ｂ  底壁
４  中間筒体
４ａ  外壁
４ｂ  溝部
４ｃ  内壁
５  突起
６  突起
６ａ  環状のシール突条
７  突起
８  突起
９  縦リブ
１０  溝部
１１  中栓
１１ａ  外筒体
１１ｂ  内筒体
１１ｃ  底板
１１ｄ  縦溝
１１ｅ  係止片
１２  係止片
１３  バージンリング
１３ａ  溝部
１４  結合片
１５  傾斜付き凸部
１６  傾斜付き凹部
【図１】
2006232318.tif 000003
【図２】
2006232318.tif 000004
【図３】
2006232318.tif 000005
【図４】
2006232318.tif 000006
【図５】
2006232318.tif 000007
【図６】
2006232318.tif 000008
【図７】
2006232318.tif 000009
【図８】
2006232318.tif 000010